(57)【要約】  【課題】浸水防止効果をより実効あらしめた新規有用な浸水防止装置を提供する。  【解決手段】ウォータパック１を複数段連設してなる蛇腹式水槽２を、各ウォータパック１への作動液導入前に浸水防止を必要とする構造物３の開口３１に臨む部位に設定した基準面３２より退避した部位に格納して開口３１を開放し、各ウォータパック１に作動液を導入した際に膨張させて基準面３２より迫り出させ、壁面状をなして開口３１を封鎖するように構成した。  【選択図】図２
2006161503.tif 000002
【特許請求の範囲】
【請求項１】
ウォータパックを複数段連設してなる蛇腹式水槽を、各ウォータパックへの作動液導入前に浸水防止を必要とする構造物の開口に臨む部位に設定した基準面より退避した部位に格納して開口を開放し、各ウォータパックに作動液を導入した際に膨張させて基準面より迫り出させ、壁面状をなして開口を封鎖するように構成したことを特徴とする浸水防止装置。
【請求項２】
各ウォータパックの両端を、開口の側縁に臨む部位に形成したレール溝に移動可能に挿入しておき、膨張した際にレール溝の内面に密着させて開口を封鎖するように構成している請求項１記載の浸水防止装置。
【請求項３】
基端に位置するウォータパックに作動液注入口を設け、隣接するウォータパック間に両ウォータパックの内空を連通させる作動液流通口を設けたことを特徴とする請求項２記載の浸水防止装置。
【請求項４】
蛇腹式水槽に、当該蛇腹式水槽が迫り出す方向に間欠的に、同方向と直交する方向に延びる補強線材を付帯させていることを特徴とする請求項２記載の浸水防止装置。
【請求項５】
先端に位置するウォータパックの更に先端側に蓋部材を配置し、この蓋部材の両端をフォロアを介してレール溝に係合させている請求項２記載の浸水防止装置。
【発明の詳細な説明】
【技術分野】
【０００１】
本発明は、床下・床上浸水・道路冠水等の水害発生時、ビル等の通常の出入口・地下駐車場出入口開口部・地下道路出入口開口部等からの水の進入を遮断し、通常地下に設置されている電気設備・コンピュータ設備等の破壊を防止し、人命をも無事に生還させるための浸水防止装置に関するものである。
【背景技術】
【０００２】
従来より、天災に位置づけられる水害に対しては、その発生時、殆どが人力により土のうを積み上げて水の進入を防止するようにしている。一部海抜ゼロ地域では鋼板による油圧式水門を設置する場合もあるが、大規模な設置工事を伴う上、停電時には対応できない。また費用面においても高価なものになるため、通常は防犯上の進入者を防止するシャッター設備を設置するにとどまっているのが現状である。しかし、土のう・シャッターでは水流の進入を完全に防止することは不可能である。
【０００３】
そこで、特許文献１に示されるように、浸水の予知可能な地域のビル等の通常の出入口・地下駐車場出入口開口部・地下通路出入口開口部等に簡単な装置を設置するだけで、水の進入を完全に遮断するようにするために、各開口部に、通常消防用ホース等に汎用される「耐圧防水繊維」で形成された蛇腹式水槽を埋め込み、水害発生時に給水することにより開口部を遮断するようにしたものが考えられている。
【０００４】
これによると、蛇腹式水槽に消火水栓・消防水栓等の高圧水流を給水することで、水槽が膨張し上方に伸展するため任意の高さを確保することができる。水槽は柔軟性のある耐圧防水繊維で形成されているため、水圧により開口部を密閉することが可能である。
【特許文献１】特開２００３−５６２０６
【発明の開示】
【発明が解決しようとする課題】
【０００５】
しかしながら、このものは、全体が１つの水槽をなし、これをコンパクトに折り畳んだ状態から膨縮できるように蛇腹状に成形しているだけであって、内空が大きな空間になっている。このため、高圧水流を導入した際に水槽が上方のみならず横方向にも膨張し易く、上方への伸展率が悪いばかりか、形崩れし易く浸水に対する強度も十分ではないといった課題が残る。
【０００６】
本発明は、このような点を改良工夫した新たな浸水防止装置を提供することを目的としている。
【課題を解決するための手段】
【０００７】
本発明は、上記の目的を達成するために、ウォータパックを複数段連設してなる蛇腹式水槽を、各ウォータパックへの作動液導入前に浸水防止を必要とする構造物の開口に臨む部位に設定した基準面より退避した部位に格納して開口を開放し、各ウォータパックに作動液を導入した際に膨張させて基準面より迫り出させ、壁面状をなして開口を封鎖するように構成したことを特徴とする。
【０００８】
このように、内空の大きな１つの水槽を蛇腹状にしたのではなく、内空の小さいウォータパックを蛇腹状に複数連設して蛇腹式水槽を構成したので、膨張がウォータパック単位でなされ、個々のウォータパックごとに適切な膨張状態を実現することができる。よって、内空全体が大きな空間をなす従来のものに比べて、迫り出す方向に確実に膨張させ、横方向への型崩れも抑えて、強度のある適切な壁面を形成することが可能となる。
【０００９】
膨張動作と密閉動作をより適切に行わせるためには、各ウォータパックの両端を、開口の側縁に臨む部位に形成したレール溝に移動可能に挿入しておき、膨張した際にレール溝の内面に密着させて開口を封鎖するように構成しておくことが望ましい。
【００１０】
具体的な実施の態様としては、基端に位置するウォータパックに作動液注入口を設け、隣接するウォータパック間に両ウォータパックの内空を連通させる作動液流通口を設けているものが挙げられる。
【００１１】
横方向の変形をより的確に防止するためには、蛇腹式水槽に、当該蛇腹式水槽が迫り出す方向に間欠的に、同方向と直交する方向に延びる補強線材を付帯させておくことが望ましい。
【００１２】
膨張動作をより適切に行わせるためには、先端に位置するウォータパックの更に先端側に蓋部材を配置し、この蓋部材の両端をフォロアを介してレール溝に係合させているものが挙げられる。
【発明の効果】
【００１３】
本発明は、以上のような構成であるから、浸水防止効果をより実効あらしめた新規有用な浸水防止装置を提供することが可能となる。
【発明を実施するための最良の形態】
【００１４】
以下、本発明の一実施形態を、図面を参照して説明する。
【００１５】
この実施形態の浸水防止装置は、図１に示すようにウォータパック１を複数段連設してなる蛇腹式水槽２を、各ウォータパック１への作動液導入前に浸水防止を必要とする構造物３の開口３１（図２参照）に臨む部位に設定した床面や地表面等の基準面３２より退避した部位に格納して開口３１を開放し、各ウォータパック１に作動液を導入した際に図３に示すように膨張させて基準面３２より迫り出させ、壁面状をなして開口３１を封鎖するように構成したものである。
【００１６】
構造物３は、例えばビルや地下駐車場、地下道路、地下鉄等で、その出入口に位置する開口３１に臨む基準面３２を掘り下げて図４に示すような格納空間３３を形成している。この格納空間３３は、蛇腹式水槽２を格納するための本体枠４を設置する主格納部３３ａと、給排水路を確保し且つ蛇腹式水槽のメンテナンス等に便ならしめるための補助格納部３３ｂとから構成されている。
【００１７】
本体枠４は、収縮状態にある蛇腹式水槽２を略完全に格納する内空を有した長尺直方体状のもので、上面が開放され、上端部に短辺方向外方に向けて鍔４１が設けられている。そして、この鍔４１を主格納部３３ａ及び補助格納部３３ｂの上縁の対応部位に形成した段部３３ｃ（図５、図６参照）に係止している。補助格納部３３ｂは、前記主格納部３２ａに連続する部位にあって前記本体枠４の一側面４ａ及び底面４ｂを解放する状態で設けられたもので、上端に図５に示す蓋３４を開閉可能に取り付けるようにしている。
【００１８】
そして、図２に示す開口３１の側縁３１ａに臨む部位、すなわち前記本体枠４の長手方向の両端部内面４ｃに、内方に開放された箱形をなすガイド部材５を起立状態で取り付けてレール溝５１を形成している。
【００１９】
各ウォータパック１は、消防用ホース等に汎用される「耐圧防水繊維」や、ゴムボート等に汎用されるゴムを始めとして、柔軟性がありかつ耐圧防水機能を有する適宜の素材で形成されたもので、図１等に示すように概略直方体状に縫製されている。基端すなわち最下段に位置するウォータパック１Ｌの下面には作動液注入口として機能する給排口１１が設けてあり、その上方に順次隣接する各々のウォータパック１、１間に位置する隔壁１Ｍに両ウォータパック１、１の内空を連通させる作動液流通口１２を設けて、作動液給排口１１から注入した作動液をこれらの作動液流通口１２を介して上段側のウォータパック１に順次均等に送り込むようにしている。図示例では、作動液流通口１２はウォータパック１の中央部分に上に向かって千鳥状に設けてあり、またウォータパック１の両端１ａを膨出させた部位に上に向かって直線状に設けてある。ただし、下段側のウォータパック１から上段側のウォータパック１に順次均等に作動液が送り込まれるのであればどのような態様で設けてもよい。ウォータパック１、１間は前記隔壁１Ｍを共有し、或いは当該隔壁１Ｍにおいて適宜の手段により接続されている。
【００２０】
各ウォータパック１は、両端１ａが図２〜図４等に示すように前記レール溝５１に移動可能に挿入してあり、膨縮時にレール溝５１に沿って上下方向にガイドされつつ移動し、外部から水圧を受けるとレール溝５１の内面に密着して開口３１を密封するように構成されている。
【００２１】
蛇腹式水槽２は、前記ウォータパック１と、先端に位置するウォータパック１Ｈの更に先端側に設けた蓋部材２１とを具備してなるもので、この蓋部材２１の両端２１ａをフォロア６を介してレール溝５１の側縁（すなわちガイド部材５の側壁）に係合させている。勿論、フォロア６はレール溝５１内（ガイド部材５の側壁の内側）に設けてもレール溝５１外（ガイド部材５の側壁の外側）に設けてもよい。この蛇腹式水槽２は、前記作動液給排口１１に接続される給排水系１３（図５参照）等と共に前記補助格納空間３３ｂに埋め込まれている。作動液給排口１１や給排水系１３は図示例のように最下段のウォータパック１Ｌの下面側に設ける態様のみならず、側面に設ける態様を妨げるものではない。蛇腹式水槽２には、全体が迫り出す方向（上方向）と直交する方向（横方向）すなわち長手方向に延びる補強線材（骨材）２２が付帯させてある。この補強線材２２は図６、図７等に示すように袋体２２ａ内に収容され、袋体２２ａは襞２２ｂを介して前記隔壁１Ｍに接続されていて、その両端は最下段の補強線材２２を除きレール溝５１内（すなわちガイド部材５の側壁の内側）に収容されている。
【００２２】
このように構成される本実施形態の浸水防止装置は、水害発生時に作動液給排口１１を介して各ウォータパック１に消火水栓・消防水栓・屋内給水配管・水道水等の高圧水流を給水することで、或いは貯水タンクの水をポンプ等で吸水、圧送することで、各ウォータパック１が図２及び図５に示す収縮状態から図３及び図６に示すように膨張して蛇腹式水槽２全体が上方に伸展し、給水量を制御することで任意の高さを確保することができる。ウォータパック１は柔軟性のある耐圧防水繊維で形成されているため、水圧が浸水による周囲の水Ｗ（図６参照）と拮抗し、また水Ｗの圧力によりレール溝５１の一方の内面に押し付けられる結果、シール効果を発揮する。また、収納時には前記作動液給排口１１が作動液排水口として機能し、作動液流通口１２を通して最下段に位置するウォータパックに移動した作動液が作動液給排口１１より排水され、蛇腹式水槽２は収縮する。排水は人為的操作力のほか、ポンプ等を利用して行うこともできる。作動液給排口１１は対をなして設けてあり、供給時に両作動液給排口１１から作動液を導入し排水時に両作動液供給口１１から排水する態様の他、供給時に一方の作動液給排口１１から作動液を導入し排水時に他方の作動液供給口１１から排水する態様等によっても実施可能である。
【００２３】
平常時この浸水防止装置は基準面３２の内方に格納され、図２、図５等に示すように蓋部材２１が基準面３２と略面一となるため、通行の支障になることはない。ガイド部材５も開口３１に臨む壁面に埋め込んで取り付けられるため、開口３１が狭まって通行の妨げになるといったことはない。作動時には消火栓水等を利用して作動液給排口１１の一方ないし双方より給水するだけで蛇腹式水槽１が図３、図６等に示すように伸展して開口３１を封鎖し、開口３１の外部から内部への浸水を完全に遮断することができる。夜間等無人になる場合、危険が予知可能な場合はバルブアクチュエータ等を用いてリモコン或いはマイコンによる無人給水も可能である。これらにより、例えば地下に設置された機械・電気・コンピュータ設備、車両等を浸水の被害から完全に防衛することが可能となる。
【００２４】
そして、本実施形態は、内空の大きな１つの水槽を蛇腹状にしたのではなく、内空の小さいウォータパック１を蛇腹状に複数連設して蛇腹式水槽３を構成したので、膨張が各ウォータパック１ごとになされ、個々のウォータパック１ごとに適切な膨張状態を実現することができる。よって、内空全体が大きな空間をなす従来のものに比べて、迫り出す方向に確実に膨張させることができ、同時に横方向への型崩れを抑えて、強度のある適切な水壁面を形成することが可能となる。
【００２５】
特に、各ウォータパック１の両端１ａを、開口３１の側縁３１ａに臨む部位に形成したレール溝５１に移動可能に挿入しておき、膨張した際にレール溝５１の内面に密着させて開口３１を封鎖するようにしているため、膨張動作と密閉動作を適切に行わせることができる。
【００２６】
具体的には、基端に位置するウォータパック１Ｌに作動液給排口１１を設け、隣接するウォータパック１、１間にそれらの内空を連通させる作動液流通口１２を設けているため、蛇腹式水槽２全体の液密性を損なわずに各ウォータパック１に作動液を好適に送り込むことができる。
【００２７】
特に、蛇腹式水槽２に、それが迫り出す上方向に沿って間欠的に、これと直交する水平方向に延びる補強線材２２を付帯させているため、横方向の変形をより的確に防止して、上方向への伸展動作と適正な壁面強度とをより有効に確保することができる。
【００２８】
とりわけ、先端に位置するウォータパック１Ｈの更に先端側に蓋部材２１を配置し、この蓋部材２１の両端２１ａをフォロア６を介してレール溝５１に係合させているため、レール溝５１に沿って蛇腹式水槽１全体の膨張動作をより適切に行わせることができる。
【００２９】
なお、各部の具体的構成は、上述した実施形態のみに限定されるものではない。例えば、作動時には任意の間隔に予め設計されたアルミ製等軽量のＨ型補強ガイドを蛇腹式水槽２の両側面に添接するように立設してもよい。このアルミ製Ｈ型補強ガイドは人力で設置可能な重量とし、平常時にレール溝５１の中に格納しておくことが望ましい。また、作動液給排口１１は地表上部に設置してもよい。
【００３０】
その他の構成も、本発明の趣旨を逸脱しない範囲で種々変形が可能である。
【図面の簡単な説明】
【００３１】
【図１】本発明の一実施形態に係るウォータパックを連設状態で示す３面図。
【図２】同実施形態の浸水防止装置を通常状態で示す一部省略した斜視図。
【図３】同実施形態の浸水防止装置を作動状態で示す一部省略した斜視図。
【図４】同実施形態の浸水防止装置の分解斜視図。
【図５】図２におけるＡ−Ａ線断面図。
【図６】図３におけるＢ−Ｂ線断面図。
【図７】同実施形態の部分拡大説明図。
【符号の説明】
【００３２】
１…ウォータパック
１ａ…両端
２…蛇腹式水槽
３…構造物
６…フォロア
１１…作動液注入口（作動液給排口）
１２…作動液流通口
２１…蓋部材
２２…補強線材
３１…開口
３２…基準面
５１…レール溝
【図１】
2006161503.tif 000003
【図２】
2006161503.tif 000004
【図３】
2006161503.tif 000005
【図４】
2006161503.tif 000006
【図５】
2006161503.tif 000007
【図６】
2006161503.tif 000008
【図７】
2006161503.tif 000009